(57)【特許請求の範囲】
【請求項１】
電源と、異常検出用の接点と、この接点のＯＮ／ＯＦＦ状態に基づいて異常を検出する異常検出器と、前記接点の異常を表示させる表示部とを備え、前記接点と前記異常検出器との組み合わせがシリーズ接続されたボイラー制御盤における異常検出装置において、
前記接点の異常が発生した後に当該異常発生をメモリするメモリ手段と、前記異常が発生した後に所定時間カウントするタイマーと、異常発生表示の優先順位をあらかじめ設定したテーブルとを備え、このテーブルに基づいて前記所定時間経過後に、前記メモリされた異常発生のうち最も優先順位の高い異常発生を前記表示部に表示させることを特徴とするボイラー制御盤における異常検出装置。
【請求項２】
前記タイマーによる所定時間カウントは、チャタリング防止用の冗長時間の経過後に行われることを特徴とする請求項１に記載のボイラー制御盤における異常検出装置。
【請求項３】
電源と、異常検出用の接点と、この接点のＯＮ／ＯＦＦ状態に基づいて異常を検出する異常検出器と、前記接点の異常を表示させる表示部とを備え、前記接点と前記異常検出器との組み合わせがシリーズ接続されたボイラー制御盤における異常検出方法において、
前記接点の異常が発生した後に当該異常発生をメモリーすると共に、前記異常が発生した後に所定時間をカウントし、異常発生表示の優先順位をあらかじめ設定したテーブルに基づいて前記所定時間経過後に最も優先順位の高い異常発生を前記表示部に表示させることを特徴とするボイラー制御盤における異常検出方法。
【発明の詳細な説明】
【０００１】
【発明の属する技術分野】
本発明は、電源と、異常検出用の接点と、この接点のＯＮ／ＯＦＦ状態に基づいて異常を検出する異常検出器と、前記接点の異常を表示させる表示部とを備え、前記接点と前記異常検出器との組み合わせがシリーズ接続されたボイラー制御盤における異常検出装置及び方法に関する。
【０００２】
【従来の技術】
かかる従来技術を図１により説明する。電源 (交流電源) １に回路入力端である接点Ａ０とその異常検出器Ｂ０が接続され、その下流側に接点Ａ１と異常検出器Ｂ１が接続され、更にその下流側に接点Ａ２と異常検出器Ｂ２が接続され、・・・・というふうに順番に接点と異常検出器が接続されており、これをシリーズ接続と称することとする。各接点はボイラーが正常に運転されている間は、基本的にＯＮ (閉状態) となっており、所定時間ＯＦＦ (開状態) となると異常であると判定する。例えば、運転中に風圧接点が１秒以上ＯＦＦになったときは、風圧異常であると判定して異常表示をする。
【０００３】
図１の構成によれば、接点Ａ２の異常時は、異常検出器Ｂ２によってＡ２の異常を検出して表示をする。Ａ１の異常時は、シリーズ接続のため異常検出器Ｂ１，Ｂ２のいずれかが異常を表示するようになっており、いずれか早く異常であると検出したほうで異常表示をしていた。
【０００４】
【発明が解決しようとする課題】
しかしながら、たとえば、異常検出器Ｂ１は接点Ａ１がＯＦＦになって２秒経過後に異常であると判定し、異常検出器Ｂ２は接点Ａ２がＯＦＦになって１秒経過後に異常であると判定するような場合であると、接点Ａ１に異常が発生しているにもかかわらず、異常検出器Ｂ２のほうでのみ異常表示が行われ、異常検出器Ｂ１では異常表示が行われないという問題があった。
【０００５】
このような誤った表示をすることで、実際に異常が発生をしている箇所を発見するのに手間取り、異常の発生した部位を復旧するのに時間がかかっていた。本発明はかかる実情に鑑みてなされたものであり、その目的は、異常の発生を確実に表示することのできるボイラー制御盤における異常検出技術を提供することである。
【０００６】
【課題を解決するための手段】
上記目的を達成するため、本発明に係るボイラー制御盤における異常検出装置は、電源と、異常検出用の接点と、この接点のＯＮ／ＯＦＦ状態に基づいて異常を検出する異常検出器と、前記接点の異常を表示させる表示部とを備え、前記接点と前記異常検出器との組み合わせがシリーズ接続されており、
前記接点の異常が発生した後に当該異常発生をメモリするメモリ手段と、前記異常が発生した後、所定時間カウントするタイマーと、異常発生表示の優先順位をあらかじめ設定したテーブルとを備え、このテーブルに基づいて前記所定時間経過後に最も優先順位の高い異常発生を前記表示部に表示させることを特徴とするものである。
【０００７】
これによると、接点に異常が発生するとまず、メモリ手段にどの接点 (項目) について異常が発生したのかをメモリ (ストレージ）する。それと同時にタイマーによる所定時間の計測を開始する。所定時間は異常状態が安定する時間を考慮して決定される。そして、所定時間の経過後にメモリされている異常発生のうち優先順位の最も高いものをテーブルから読み出して、当該異常発生を表示部に表示させる。したがって、異常の発生を確実に表示させることができた。
【０００８】
本発明の好適な実施形態として、前記タイマーによる所定時間カウントは、チャタリング防止用の冗長時間の経過後に行われるものがあげられる。チャタリングによる接点のＯＮ／ＯＦＦは本来的に異常ではなく、このチャタリングがおさまった後にカウントするようにすれば、より確実性のある表示をさせることができる。
【０００９】
【発明の実施の形態】
＜本実施形態の構成＞
以下図面を用いて本実施形態を説明する。回路の構成は従来技術を説明するのに用いた図１と同じである。ここで、異常発生の具体的例をいくつか説明する。
【００１０】
ボイラー運転中に風圧接点が１秒以上ＯＦＦになったときに風圧異常であると判定する。運転中にサーマルリレーが１秒以上作動したときはサーマル異常と判定する。運転中にガス圧力接点が１秒以上ＯＦＦになったときはガス圧力異常と判定する。運転中、温度ヒューズ断線、または圧力接点作動を１秒以上検知したときは温度ヒューズ異常、圧力接点異常と判定する。感震器が１秒以上作動したときは感震器異常であると判定する。
【００１１】
ここで、異常表示要因が発生すると（＃１０）、当該異常表示要因をメモリ手段にメモリする（＃２０）。例えば上記例では、風圧接点が１秒ＯＦＦになった後である。一方、異常表示要因の発生した後、タイマーにより所定時間Ｔ１を計測し異常が安定するのを待つ。所定時間は１秒以上の適当な時間が設定される。なお、タイマーによる計測は接点がＯＦＦになってチャタリング防止用の冗長時間経過後に開始するようにしてもよい。
【００１２】
たとえば、接点Ａ０とＡ１に異常が発生したとする。この場合、メモリ手段にＡ０とＡ１に異常表示要因が発生したことをメモリする。ここで優先順位は、
Ａ０＞Ａ１＞Ａ２＞・・・・・・となっているとする。したがって、所定時間経過後優先順位の高いほうのＡ０に異常が発生したと表示するのである（＃３０）。
【００１３】
Ａ１とＡ２に異常が発生したとすれば優先順位の高いＡ１について異常が発生したと表示する。この表示に基づいて必要箇所の修理を行うのである。この場合、Ａ１に関する異常を修理した後、Ａ２についての異常が残っているので、これを表示させるようにするのが好ましい。
【００１４】
＜まとめ＞
以上のような構成によれば、異常が発生しているにもかかわらずそれを表示できないということはなく、確実に異常表示が行える。これによりトラブルの復旧を的確にすばやく行うことができる。また、表示内容が的確になることにより、従来サービスマンでないと直せなかったようなトラブルが客先担当者であっても、電話やファックスによる指導でトラブルの復旧ができるようになった。
【００１５】
なお、図１のように回路をシリーズ構成にしているから、異常が発生した場合に機器を安全に停止させることができる。
【図面の簡単な説明】
【図１】異常検出装置の回路を示す図
【図２】異常検出方法の手順を示すブロック図
【符号の説明】
１      電源
Ａ０，Ａ１，Ａ２      接点
Ｂ０，Ｂ１，Ｂ２      異常検出器
【図１】
0003748166.tif 000002
【図２】
0003748166.tif 000003